(57)【要約】  電気通信クロージャの開口部に入るケーブルを密封すると共に保持するケーブルアタッチメントが提供される。ケーブルアタッチメントは、ケーブル（２４）を挿通させる開口部を備えたアダプタ本体（１２）を有し、把持器具（５０）及びグロメット器具（１６）も又、それぞれ、アダプタ本体を挿通するケーブルの歪取り及び密封のためにアダプタ本体内に設けられている。ケーブルアタッチメントは、ケーブルの外面の周りにシールを選択的に形成するよう力をグロメット器具に加えるためにアダプタ本体に対して選択的に動くことができるボルト部分（２０）を更に有する。クロージャに入るケーブルを密封すると共に（或いは）歪取りするための別の設計例も提供される。
2009504122.tif 000002
【特許請求の範囲】
【請求項１】
電気通信クロージャに設けられた開口部を通って前記電気通信クロージャに入ったケーブルを密封すると共に保持するケーブルアタッチメントであって、前記ケーブルアタッチメントは、
前記クロージャの前記開口部に隣接して位置決めされるように構成されたアダプタ本体を有し、前記アダプタ本体は、少なくとも１本のケーブルの挿通を可能にするように寸法決めされた少なくとも１つの開口部を備え、
前記アダプタ本体の前記少なくとも１つの開口部内に設けられる把持器具を有し、前記把持器具は、前記ケーブルの外面の少なくとも一部分を把持するように寸法決めされた孔を備え、
前記アダプタ本体の前記少なくとも１つの開口部内で前記把持器具の近くに設けられたグロメット器具を有し、前記グロメット器具は、前記ケーブルが前記グロメット器具を前記ケーブルに対して全体として軸方向に横切ることができるようにする通路を備え、
前記アダプタ本体に係合するよう構成されたボルト部分を有し、前記ボルト部分は、前記グロメット器具が前記ケーブルの前記外面に係合するように、力を前記グロメット器具に選択的に加えるようになっている、
ことを特徴とするケーブルアタッチメント。
【請求項２】
前記アダプタ本体の前記少なくとも１つの開口部は、少なくとも１本の光ファイバケーブルの挿通を可能にするように寸法決めされている、
請求項１記載のケーブルアタッチメント。
【請求項３】
前記アダプタ本体は、第１の軸方向端部のところに位置する内側部分及び前記第１の軸方向端部と全体として反対側の第２の軸方向端部のところに位置する外側部分を有し、前記アダプタ本体は、前記クロージャの前記開口部を挿通して前記クロージャによって保持されるように構成され、前記アダプタ本体の前記内側部分が前記クロージャの内部に位置すると共に前記アダプタ本体の前記外側部分が前記クロージャの外部に位置するように構成されている、
請求項１記載のケーブルアタッチメント。
【請求項４】
前記アダプタ本体の前記少なくとも１つの開口部は、前記第２の軸方向端部のところの前記少なくとも１つの開口部の断面積と比較して小さな断面積を前記第１の軸方向端部のところに有する、
請求項３記載のケーブルアタッチメント。
【請求項５】
前記アダプタ本体は、第１の軸方向端部及び全体として前記第１の軸方向端部と反対側の第２の軸方向端部を有し、前記第１の軸方向端部は、少なくとも１つの窓を有し、前記アダプタ本体の前記少なくとも１つの開口部の一部分が前記アダプタ本体の前記少なくとも１つの開口部の軸線に対して全体として半径方向から見えるように構成されている、
請求項１記載のケーブルアタッチメント。
【請求項６】
前記把持器具は、把持ワッシャから成る、
請求項１記載のケーブルアタッチメント。
【請求項７】
前記把持器具は、少なくとも１本の止めねじから成る、請求項１記載のケーブルアタッチメント。
【請求項８】
前記把持器具は、前記ケーブルの前記外面の少なくとも一部分に係合する少なくとも１つの端片を有する、
請求項１記載のケーブルアタッチメント。
【請求項９】
前記グロメット器具の前記通路は、全体として前記アダプタ本体の軸線と整列した軸線を定める貫通穴を含む、
請求項１記載のケーブルアタッチメント。
【請求項１０】
前記グロメット器具の前記通路は、非円形断面を有し、前記グロメット器具は、前記グロメット器具を前記アダプタ本体に対して選択的に差し向けることができるようキー状部分を有する、
請求項１記載のケーブルアタッチメント。
【請求項１１】
前記クロージャへの前記ケーブルの導入に先立って前記ケーブルアタッチメントを密封するよう少なくとも前記グロメット器具により選択的に保持されるプラグを更に有する、
請求項１記載のケーブルアタッチメント。
【請求項１２】
前記アダプタ本体は、前記アダプタ本体の外面に設けられた少なくとも１つのタブ部分を有し、前記タブ部分は、前記アダプタ本体を前記クロージャに対して回転的に固定するように成されている、
請求項１記載のケーブルアタッチメント。
【請求項１３】
前記アダプタ本体は、ねじ山付き内側部分を有し、前記ボルト部分は、前記ボルト部分を前記アダプタ本体内に選択的にねじ込むことができるようねじ山付き外側部分を有する、
請求項１記載のケーブルアタッチメント。
【請求項１４】
電気通信器具であって、
少なくとも１つの開口部を備えたクロージャと、
ケーブルアタッチメントとを有し、前記ケーブルアタッチメントは、
前記クロージャの前記開口部に隣接して位置決めされるように構成されたアダプタ本体を有し、前記アダプタ本体は、少なくとも１本のケーブルの挿通を可能にするように寸法決めされた少なくとも１つの開口部を備え、
前記アダプタ本体の前記少なくとも１つの開口部内に設けられる把持器具を有し、前記把持器具は、前記ケーブルの外面の少なくとも一部分を把持するように寸法決めされた孔を備え、
前記アダプタ本体の前記少なくとも１つの開口部内で前記把持器具の近くに設けられたグロメット器具を有し、前記グロメット器具は、前記ケーブルが前記グロメット器具を前記ケーブルに対して全体として軸方向に横切ることができるようにする通路を備え、
前記アダプタ本体に係合するよう構成されたボルト部分を有し、前記ボルト部分は、前記グロメット器具が前記ケーブルの前記外面に係合するように、力を前記グロメット器具に選択的に加えるように構成されており、
前記ケーブルアタッチメントは、前記クロージャの前記少なくとも１つの開口部を通って前記クロージャに入ったケーブルを密封すると共に保持するように構成されている、
ことを特徴とする電気通信器具。
【請求項１５】
前記把持器具は、把持ワッシャから成る、
請求項１４記載の電気通信器具。
【請求項１６】
前記クロージャへの前記ケーブルの導入に先立って前記ケーブルアタッチメントを密封するよう少なくとも前記グロメット器具により選択的に保持されるプラグを更に有する、
請求項１４記載の電気通信器具。
【請求項１７】
前記アダプタ本体は、ねじ山付き内側部分を有し、前記ボルト部分は、前記ボルト部分を前記アダプタ本体内に選択的にねじ込むことができるようねじ山付き外側部分を有する、
請求項１記載の電気通信器具。
【請求項１８】
ケーブルアタッチメントを介してケーブルを電気通信クロージャ内に挿入する方法であって、
前記ケーブルをボルト部分中、グロメット器具の通路中、把持器具の孔中、そしてアダプタ本体の開口部中に挿入するステップと、
前記ケーブルアタッチメントの前記ボルト部分を前記ケーブルアタッチメントの前記アダプタ本体に対して動かすステップとを有する、
ことを特徴とする方法。
【請求項１９】
前記ケーブルの挿入に先立って前記ケーブルの少なくとも外側部分を剥ぎ取って前記ケーブルの剥ぎ取り部分及び前記ケーブルの非剥ぎ取り部分を形成し、前記ケーブルを前記ボルト部分中、前記グロメット器具の前記通路中、前記把持器具の前記孔中、そして前記アダプタ本体の前記開口部中に挿入するとき、前記ケーブルの前記剥ぎ取り部分のみを前記アダプタ本体の前記開口部中に挿入するようにするステップを更に有する、
請求項１８記載の方法。
【請求項２０】
前記ケーブルの挿入に先立って電気ケーブルアタッチメントからプラグを取り外すステップを更に有する、
請求項１８記載の方法。
【発明の詳細な説明】
【技術分野】
【０００１】
本発明は、電気通信クロージャに関し、特に、電気通信クロージャ内に少なくとも１本のケーブルを挿入する装置及び方法に関する。
【０００２】
なお、本願は、２００５年７月２７日出願された米国仮特許出願第６０／７０２，９６５号（発明の名称：Optisheath Cable Add Kit）に基づく３５Ｕ．Ｓ．Ｃ．１１９（ｅ）の規定による優先権主張出願である。
【背景技術】
【０００３】
通信機器を収納する電気通信クロージャが、配線ネットワークに沿う種々の箇所に配備されている。電気通信クロージャは、種々の場所、例えば、ユーティリティポールから架空に、接続点保護箱に取り付けて地上に、又は地下用クロージャに入れて地下に配置される。電気通信クロージャの一例は、地下に配置されるよう構成されたスプライスクロージャである。従来型スプライスクロージャは、１本又は２本以上の光ケーブルのスプライス接続を容易にするよう例えばスプライストレー及び（又は）余長ハブのような構成部品を有する。かかるスプライスクロージャは、水その他風雨の流入に起因する光ファイバ及び（又は）スプライスの劣化を阻止するよう水密である。
【０００４】
電気通信クロージャは、クロージャ内に接続され、収納されると共に（或いは）違ったやり方で存在するケーブルをクロージャに導入させたり導出させたりすることができるようクロージャに設けられた１つ又は２つ以上の開口部を有する。好ましくは、クロージャは、クロージャ内に収納されたコネクタ、ケーブル及び他のハードウェアを水、汚れ、湿気、虫の群生から保護する全体として密閉された環境を提供する。従来型クロージャは、典型的には、交換可能であり、しかも１本又は２本以上のケーブルをクロージャ内に導入させることができる種々の開口部を備えたグロメットを有する。ケーブルをクロージャ内に導入するため、現場技術者は、典型的には、プラグ器具（例えば開口部が設けられていないグロメット）を取り外し、ケーブルを挿通させるのに適した１つ又は２つ以上の開口部を備えたグロメットを選択し、ケーブルをグロメット中に位置決めし、次にグロメットをクロージャの開口部内に配置する。
【発明の開示】
【発明が解決しようとする課題】
【０００５】
この方式の１つの欠点は、グロメット開口部がケーブルを密封するのに常に最適に寸法決めされているとは限らないということである。さらに、グロメットは、クロージャに入るケーブルの歪取りを行うわけではない。したがって、電気通信クロージャに入るケーブルを都合良く密封すると共に保持するケーブルアタッチメントが要望されている。
【課題を解決するための手段】
【０００６】
本発明は、電気通信クロージャに設けられた開口部を通って電気通信ケーブルに入るケーブルを密封すると共に保持するケーブルアタッチメントを提供することにより上述の要望に応えると共に他の利点を達成する。本発明のケーブルアタッチメントは、クロージャに入るケーブルの手頃な且つ確実な保持を提供する。本発明の種々の実施形態のケーブルアタッチメントは、クロージャの開口部に隣接して、例えば幾つかの実施形態ではこの開口部内に位置決めされるよう構成されたアダプタ本体を有する。ケーブルアタッチメントには把持器具も又設けられ、この把持器具は、アダプタ本体の開口部内に配置される。グロメット器具も又、アダプタ本体の開口部内で把持器具の近くに配置される。把持器具、例えば本発明の種々の実施形態では把持ワッシャ又は止めねじが、ケーブルの外面の少なくとも一部分を把持するように寸法決めされた孔を備え、グロメット器具は、ケーブルがグロメット器具を全体としてケーブルに対して軸方向に横切ることができるようにする通路を備える。ケーブルアタッチメントは、ボルト部分を更に有し、このボルト部分は、例えば本発明の幾つかの実施形態では螺合によりアダプタの開口部に係合して力、例えば圧縮力をグロメット器具に選択的に加え、その結果グロメット器具がケーブルの外面に係合するようにするよう構成されている。したがって、本発明の幾つかの実施形態のケーブルアタッチメントは、グロメット器具をケーブルの周りに圧縮することによりケーブル入口を密封し、さらに、ケーブルアタッチメントは、ケーブルを把持器具で保持する。本発明の種々の実施形態は、１つ又は２つ以上のケーブルアタッチメント、例えば上述したケーブルアタッチメントを有する電気通信クロージャを更に含む。
【０００７】
本発明は又、ケーブルを電気通信クロージャ内に都合良く挿入してケーブルを密封すると共に保持する方法を含む。本発明の一実施形態は、ケーブルをボルト部分、グロメット器具の通路、把持器具の孔及びアダプタ本体の開口部中に挿入するステップを有する。ケーブルをいったん軸方向に正しく位置決めすると、ボルト器具をアダプタ本体に対して動かしてケーブルを密封すると共に保持する。本発明の更に別の実施形態は、電気通信クロージャに入るケーブルを密封すると共に保持する追加の装置及び方法を提供する。
【０００８】
本発明を概要説明したが、添付の図面に関する説明は、図面の簡単な説明の項に与えられている。なお、図面は、必ずしも縮尺通りには作成されておらず、又、本発明を限定するものではなく本発明の例示であると考えられる。
【発明を実施するための最良の形態】
【０００９】
次に、本発明の全てではないが幾つかの実施形態が示された添付の図面を参照して本発明を以下に詳細に説明する。確かに、本発明は、多くの種々の形態で具体化でき、本明細書に記載された実施形態に限定されるものと解釈されてはならず、それどころか、これら実施形態は、本明細書による開示が適用される法上の要件を満たすように提供されている。電気通信クロージャ内に挿入されたケーブルを密封すると共に（或いは）歪取りする装置及び方法が特定の形式のケーブルアタッチメントに関して添付の図面に記載されているが、種々の装置及び方法の機能は、電気通信クロージャ内に挿入されたケーブルを密封すると共に（或いは）歪取りすることが望ましい任意の現在公知の又はその後に案出されるケーブルアタッチメントに適用できることが想定される。同一の符号は、図面全体を通じ同一の要素を示している。
【００１０】
図１ないし図１８ｄを参照すると、本発明の種々の実施形態によるケーブルアタッチメントが記載されている。本発明のケーブルアタッチメントは、任意の電気通信システム、例えば銅ケーブル、光ファイバケーブル又は他のシステム用の任意の電気通信クロージャに使用できる。さらに、本発明のケーブルアタッチメントは、任意の形式のクロージャに使用でき、かかるクロージャとしては、架空に配置されるにせよ地上に配置されるにせよ地下に配置されるにせよ又は任意他の仕方で配置されるにせよ、いずれにせよ、ネットワークインターフェイス装置、ネットワークアクセスポイントクロージャ、接続点保護箱、ローカルコンバージェンスキャビネット、架空クロージャ、スプライスクロージャ、端子等が挙げられるが、これらには限定されない。ケーブルアタッチメントは、既存のクロージャ内に収納されるよう個々に提供でき又はケーブルアタッチメントは、永続的に取り付けられているか選択的に取り外し可能であるかのいずれかのクロージャを備えることができる。さらに、ケーブルアタッチメントは、任意の材料で作られると共に（或いは）任意本数の個々のファイバ、ファイバアレイ、ライン又は他の信号キャリヤを収納状態で有する任意のサイズのケーブルを受け入れるように寸法決めされるのが良い。本発明の別の実施形態は、単一のケーブルアタッチメントを備えた２本又は３本以上の個々のケーブルを密封すると共に保持するよう設計されたケーブルアタッチメントを含む。さらに、本明細書において開示する実施形態のケーブルアタッチメントは、電気通信ケーブルに入るケーブルを密封すると共に保持するようになっているが、本発明の別の実施形態は、特定の性能要件により必要とされるケーブルを密封するかケーブルを保持するかのいずれかを行うように改造されている。
【００１１】
次に図１ないし図８に示す実施形態のケーブルアタッチメントを参照すると、このケーブルアタッチメント１０は、アダプタ本体１２、把持器具１４、グロメット器具１６、ワッシャ１８及びボルト部分２０を有している。また、オプションとしてのプラグ２２が図１及び図２に示されており、このプラグは、ケーブルをケーブルアタッチメント内に挿入しない場合にケーブルアタッチメントの開口部を占有してケーブルの挿入に先立って水、汚れ、湿気、群をなす虫又は他の望ましくない物質がクロージャ内に入るのを阻止するよう選択的に設けられる。プラグ２２は、所定の軸方向距離（この距離は、図１及び図２に示す１つ又は２つ以上のカラーによって制限される）にわたりケーブルアタッチメント１０内に挿入されるよう構成されており、したがって、グロメット器具１６とは係合するが把持器具１４とは係合しないようになっている。というのは、把持器具内へのプラグの挿入により、把持器具が損傷する場合があり、しかも、プラグの取り外しが面倒になる場合があるからである。
【００１２】
図３及び図４は、ジャケット２６を有するケーブル２４に用いられたケーブルアタッチメント１０を示しており、このジャケットは、ケーブルをケーブルアタッチメントにより密封して保持する前か後かのいずれかに技術者が光ケーブルに対してスプライス接続作業、接続作業又は他の作業をクロージャ内の光ファイバに対して行うことができるようバッファチューブ２８及びバッファチューブ内の光ファイバ（図示せず）の所要長さ分を露出させるよう剥ぎ取られ又は除去されている。以下に詳細に説明するように、本発明の別の実施形態は、ケーブルを被覆除去する必要のないケーブルアタッチメントを含み又はケーブルアタッチメントに対するケーブルの任意の軸方向場所でケーブルを被覆除去できるようにする。
【００１３】
図１ないし図８のケーブルアタッチメント１０のアダプタ本体１２は、熱可塑性材料で作られた一体形構成部品から成るが、本発明の別の実施形態は、任意個数の構成部品で作られ、追加の非限定的な例を挙げると例えば金属のような別の材料で作られても良い。図１ないし図８のアダプタ本体１２は、第１の軸方向端部３０及び全体として第１の軸方向端部と反対側の第２の軸方向端部３２を有する。アダプタ本体１２は、少なくとも１本のケーブル２４が全体として軸方向にアダプタ本体を挿通することができるように寸法決めされた少なくとも１つの開口部３４を備える。アダプタ本体を貫通した開口部の非限定的な例を与えるために、アダプタ本体１２の開口部３４は、例えば貫通穴のようにアダプタ本体によって完全に包囲されていてもよく、或いは、開口部３４は、例えばスロット状開口部、チャネル等のように部分的に包囲されても良い。アダプタ本体１２は、切頭円錐形の第１の軸方向端部３０、外側ねじ山付き部分３６、カラー部分３８及び六角形部分４０を備えた全体として円筒形の形のものであるが、本発明の別の実施形態は、特定のクロージャ及び（又は）ケーブルに適した別の及び（又は）追加の形状及び（又は）特徴部を有する。アダプタ本体１２の切頭円錐形の第１の軸方向端部３０は、一部が、図２に示すように、ケーブル２４をアダプタ本体中に挿入し、そしてアダプタ本体の第１の軸方向端部の開口部から導出するのを助ける引き込み面４２を形成するよう構成されている。切頭円錐形の第１の軸方向端部３０は、以下に詳細に説明するように、ケーブル２４の挿入中、図示の実施形態の把持器具の端片が動くようにするための領域を更に備えている。切頭円錐形の第１の軸方向端部３０内のこの領域は又、剥ぎ取られたジャケットの近くに位置するケーブルの部分、例えばジャケットから延びる抗張力部材（以下に説明する）が温度変化に基づいて膨張したり収縮したりする余地を有するようにすることができる。再びアダプタ本体１２を参照すると、図１ないし図８に示すように、アダプタ本体１２の第１の軸方向端部３０開口部は、アダプタ本体の第２の軸方向端部３２の開口部の断面積と比較して小さな断面積を有する。
【００１４】
図９ａ及び図９ｂを参照して以下に詳細に説明するように、アダプタ本体の外側ねじ山付き部分３６は、クロージャの開口部を挿通し、アダプタ本体の第１の軸方向端部のところのアダプタ本体の内側部分がクロージャの内部に位置し、アダプタ本体の第２の軸方向端部のところの外側部分がクロージャの外部に位置するようクロージャによって保持されるように構成されている。具体的に説明すると、アダプタ本体１２の第１の軸方向端部３０をクロージャ壁がカラー部分３８に係合するまでクロージャの開口部中に通す。外側ねじ山付き部分のねじ山に対応した雌ねじを有する保持器具（図示せず）をアダプタ本体の第１の軸方向端部３０に嵌めて第２の軸方向端部３２に向かって螺合状態で進め、ついには、保持器具がクロージャの内部に係合してアダプタ本体をクロージャの開口部内に選択的に保持するようにする。本発明の別の実施形態では、アダプタ本体及び（又は）ケーブルアタッチメントをクロージャに対して保持する別の構造体及び（又は）器具が提供される。さらに、本発明の図示の実施形態は、クロージャの開口部内に位置決め可能に構成されたケーブルアタッチメントを示しているが、本発明の更に別の実施形態は、ケーブルアタッチメントのどこかの部分がクロージャの開口部を挿通した状態で又はそのようになっていない状態で、ケーブルアタッチメントのアダプタ本体及び（又は）他の構成部品をクロージャの開口部に隣接して位置決めするよう構成されている。本明細書で用いる「隣接」という用語は、アダプタ本体がクロージャの開口部の近くに且つ（或いは）クロージャの開口部内に配置されることを意味するようになっている。
【００１５】
図１ないし図８のケーブルアタッチメント１０のアダプタ本体１２の六角形部分４０は、ねじ山付き外側部分３６から見てカラー部分３８の反対側に位置している。六角形部分４０は、アダプタ本体が図示の実施形態のボルト部分２０の挿入及び（又は）回転中、回転するのを技術者によって阻止することができるようアダプタ本体１２に設けられている。アダプタ本体１２の開口部３４は、第２の軸方向端部３２から第１の軸方向端部３０まで或る特定の軸方向距離にわたって延び、アダプタ本体は、開口部３４に沿ってねじ山付き内側部分４４を有している。同様に、ボルト部分２０は、ボルト部分の外面に沿って位置して、アダプタ本体の開口部のねじ山付き内側部分４４に対応したねじ山付き外側部分４６を有し、その結果、ボルト部分をアダプタ本体内に選択的にねじ込むことができるようになっている。アダプタ本体１２の六角形部分４０を技術者がレンチでクランプすることができ、その間、技術者は、ボルト部分２０をアダプタ本体１２の開口部３４内にねじ込んでアダプタ本体が不用意に回転しないようにする。本発明の別の実施形態では、技術者がボルト部分をアダプタ本体に対して都合良く動かすことができるようアダプタ本体及び（又は）ボルト部分の外部及び（又は）内部に設けられた別の器具が提供される。さらに別の実施形態では、ボルト部分及びアダプタ本体を互いに対して動かしたり互いに対して保持したりすることができるようにする別の形状及び（又は）特徴部が提供される。
【００１６】
次に図１ないし図４並びに図１０ａないし図１３のケーブルアタッチメント１０の把持器具１４を参照すると、この把持器具は、ケーブル２４の外面の少なくとも一部分を把持するように寸法決めされた少なくとも１つの孔４８を有する。把持器具の孔の非限定的な例を与えるために、把持器具の孔４８は、例えば貫通穴のように完全に閉じられていても良く、或いは、例えばスロット状開口部、チャネル等のように部分的に包囲されても良い。図１ないし図４並びに図１０ａないし図１３の把持器具１４は、把持ワッシャから成り、この把持ワッシャは、ケーブル２４の外面の少なくとも一部分に係合する少なくとも１つの端片５０を更に有している。図１ないし図１０のケーブルアタッチメント１０の把持ワッシャは、ケーブル２４の外面を自動的に把持するよう構成されており、把持器具１４は、ケーブルを把持するためにはケーブルアタッチメントの他の部分から圧縮力又は他の力を必要としないようになっている。本発明のケーブルアタッチメントの別の実施形態は、ケーブルを自動的に把持しても良い又は自動的に把持しなくても良い把持器具から成る。図１ないし図４並びに図１０ａないし図１３に示すように、把持器具１４は、把持器具の周囲に向かって或る特定の距離にわたって孔４８から延びる複数個の全体として半径方向のスリットを有している。把持器具１４の端片５０は、全体として半径方向のスリット相互間に形成されている。端片５０は、傾斜部分５２を更に含み、したがって端片の半径方向内方部分は、一方の軸方向に傾斜している。したがって、端片５０の傾斜部分５２は、孔４８中へのケーブル２４の容易な挿入を可能にするが、端片の傾斜部分は、ケーブルの外面の少なくとも一部分を把持してケーブルの挿入方向とは逆の方向への把持器具からのケーブルの抜き取りを阻止するようになっている。図１ないし図４並びに図１０ａないし図１３に示す本発明の実施形態の場合、把持器具１４は、軸方向に１ないし５ポンド（０．４５４ないし２．２６８ｋｇ）の力でケーブル２４を孔４８中に挿入することができるように寸法決めされているが、把持器具の孔からのケーブルの抜き取りには、逆の軸方向において約５０ポンド（２２．６８０ｋｇ）以上の力が必要である。したがって、把持器具１４は、ケーブルアタッチメント内に挿入されたケーブル２４を保持すると共に歪取りを行って、ケーブルをいったんケーブルアタッチメント内に正しく配置すると共に１本又は２本以上のファイバをクロージャ内で接続すると、クロージャの外部でケーブルに及ぼされる軸方向力がケーブルアタッチメント全体にわたって分布されてクロージャ内の１つ又は２つ以上のファイバ接続部の損傷が最小限に抑えられると共に（或いは）阻止されるようになっている。多くの非限定的な例を提供するため、本発明の別の実施形態では、図１ないし図４並びに図１０ａないし図１３に示す把持ワッシャの別の設計が提供され、更に別の実施形態では、別の把持器具、例えば図１５ａないし図１８ｄの把持器具が提供される。
【００１７】
本発明のケーブルアタッチメント及びクロージャの幾つかの実施形態は、接地型ケーブルに使用されるよう構成されている。ケーブルアタッチメント及びクロージャ内に挿入されるケーブルは、金属製外装材、金属製抗張力部材又は接地用導体を構成する他の構成部品を有するのが良い。ケーブルアタッチメントは、ケーブルのジャケットを穿通してケーブルアタッチメントの導電性部分がケーブルの外装材又は抗張力部材に電気的に係合し、それによりケーブルアタッチメントを接地するようになっている。さらに、本発明の幾つかの実施形態のケーブルアタッチメントは、クロージャを接地するようケーブル接地用導体をクロージャに電気的に結合する導電性リード線を有している。接地型ケーブルアタッチメントの非限定的な一例は、外装材及び（又は）抗張力部材に電気的に接触するのに十分な量ジャケットを穿通する把持器具を有し、それにより把持器具が接地される。接地型把持器具は、クロージャの少なくとも一部と電気的連絡状態にある電気導体、例えば非限定的な一例を構成するようアダプタ本体を半径方向に貫通して延びる導体に更に接続されている。本発明の更に別の実施形態は、接地型ケーブルが提供された場合、ケーブルアタッチメント及びクロージャを接地する別の器具及び構成体を有する。
【００１８】
図１ないし図４及び並びに図１０ａないし図１３の把持器具１４は、アダプタ本体１２の開口部３４中に挿入されるよう構成されており、この把持器具は、図１ないし図８の実施形態の場合、端片５２がアダプタ本体１２の第１の軸方向端部３０に向かって傾斜した状態で挿入される（端片が逆方向に向いた状態で把持器具を挿入することは、ケーブルが把持器具に係合した状態でこれを挿通するのを阻止する場合がある）が、別の実施形態では、把持器具は、別の方向に差し向けられる場合がある。把持器具１４の第１の軸方向端部３０とは反対側に、グロメット器具１６が、把持器具の近くでアダプタ本体の開口部内に設けられている。図１ないし図８のグロメット器具１６は、ケーブルが全体として軸方向にグロメット器具を横切ることができるようにする通路が形成された全体として円筒形の形をしている。本明細書用いる「横切る」という用語は、ケーブルがグロメット器具を通って且つ（或いは）この周りを通ることを意味する。
【００１９】
図１ないし図８のグロメット器具１６は、アダプタ本体及びボルト部分の熱可塑性材料及び把持器具１４の金属と比較して変形しやすいエラストマー材料から成り、このエラストマー材料の例としては、シリコーン材料、ネオプレン材料及びエチレンプロピレンジエンモノマー（ＥＰＤＭ）が挙げられるが、これらには限定されず、しかしながら、ケーブルアタッチメントの別の実施形態では、別の材料のグロメット器具が提供される。グロメット器具１６は、図示の実施形態では力、例えば圧縮力を受けると形状を変えるようになっている。図１ないし図８のグロメット器具１６の場合、ボルト部分２０をアダプタ本体１２にねじ込んでいるときに軸方向圧縮力がグロメット器具に及ぼされると、通路５４の直径が減少してグロメット器具がケーブル２４の外面に係合するようになっている。図１ないし図８のケーブルアタッチメント１０は、好ましくは、ケーブル２４の外面周りへのグロメット器具１６の密封係合を可能にするよう構成され、水、湿気、汚れ、群れをなす虫及び（又は）他の望ましくない物質がケーブルアタッチメントを通ってクロージャに入ることができないようになっている。本発明の追加の実施形態では、１回又は２回以上の力がグロメット器具に及ぼされると、グロメット器具がケーブルの外面周りにシールを部分的に又は完全に提供することができるような種々の形状、材質及び（又は）寸法の別のグロメット器具が提供される。
【００２０】
本発明の種々の実施形態のグロメット器具は、アダプタ本体の開口部に係合するグロメットの外壁に沿って１つ又は２つ以上のキー状部分を有している。アダプタ本体の開口部も又、これらキー状部分を受け入れるようになった１つ又は２つ以上のキー状スロットを有し、その結果グロメット器具をアダプタ本体内に回転可能に保持することができるようになっている。さらに、ケーブルアタッチメントのかかる実施形態のグロメット器具は、非限定的な一例を提供するよう例えば楕円形の断面を備えた通路を有し、この通路は、対応関係にある断面を備えたケーブルを受け入れるようになっている。本発明の幾つかの実施形態では、グロメットは、アダプタ本体に対して回転的に固定されると共にアダプタ本体がクロージャに対して回転的に固定されているので（以下の図９ａ及び図９ｂに関する説明を参照されたい）、非円形断面のケーブルをケーブルアタッチメント内に好ましい向きで挿入することができ、クロージャの外部の１本又は２本以上のケーブルの部分を有利には所望の方向に引き回してファイバの損傷を最小限に抑え又は曲げの際にケーブルに生じる応力を最小限に抑えることができるようになっている。本発明の別の実施形態は、クロージャの外部でのケーブルの好都合な引き回しを可能にする別の特徴部及び構成体を有する。
【００２１】
図１ないし図８の実施形態では、グロメット器具１６をボルト部分２０に係合する軸方向表面に対する摩耗から保護するワッシャ１８が設けられている。本発明の追加の実施形態では、グロメット器具を保護する別の器具が提供されると共に（或いは）保護を必要としないグロメット器具が提供される。本発明の別の実施形態は、ボルト部分にグロメット器具の損傷を最小限に抑える特定の形状、材料又はテキスチャの表面を提供することができる。本発明の更に別の実施形態では、グロメット器具を保護するためのワッシャ及び他の構成部品が省かれる場合がある。
【００２２】
図１ないし図４のケーブルアタッチメント１０のボルト部分２０は、熱可塑性材料、好ましくはアダプタ本体１２に用いられたのと同一の材料で作られた一体形構成部品を有するが、本発明の別の実施形態は、追加の非限定的な例を挙げると、例えば金属のような別の材料で作られても良い。図１ないし図４のボルト部分２０は、形状が全体として従来型ボルトとほぼ同じであるが、本発明の別の実施形態のボルト部分は、ボルト部分に必ずしも似ている必要はない形状及び特徴部を有する。本発明のボルト部分は、ボルト部分又はボルト部分の任意他の特徴部に対するケーブルの形状、寸法、配置場所又は向きとは無関係にグロメット器具に力を及ぼすようアダプタ本体に対して選択的に動くことができる任意の構成部品である。再び図１ないし図４のボルト部分２０を参照すると、このボルト部分は、全体としてグロメット器具の軸線と整列する軸線を定める貫通穴を有するが、ボルト部分の他の実施形態は、任意の形状及び任意の向きの貫通穴を有し又はボルト部分の別の実施形態では貫通穴が全く設けられない。さらに、ボルト部分２０は、ボルト部分とアダプタ本体との間の係合の非限定的な一例を説明するために、例えばボルト部分をアダプタ本体の開口部３４にねじ込むことによりアダプタ本体１２に係合するよう構成されている。ボルト部分２０は、好ましくは、ねじ山付き外側部分４６の軸方向端部のところにカラー５６を有し、このカラーは、好ましくは、ボルト部分をアダプタ本体１２内にねじ込むことができる距離を制限する。本発明のケーブルアタッチメントの別の実施形態は、ボルト部分がアダプタ本体に対して取ることができる移動量を選択的に調整するための取り外し可能なワッシャ又は他の器具を備えたボルト部分を有する。
【００２３】
再び図１ないし図４のケーブルアタッチメント１０のボルト部分２０に戻ってこれを参照すると、ボルト部分をアダプタ本体１２の開口部３４にねじ込むことにより、ボルト部分は、力をグロメット器具１６（ワッシャ１８を介して）に選択的に加えてグロメット器具がケーブル２４の外面に係合するようになる。図１ないし図４のボルト部分２０は、圧縮力をグロメット器具１６に加えてグロメット器具の内径が減少し、それによりケーブルの外面周りにシールが作られるようになるが、本発明の別の実施形態では、グロメット器具がケーブルの外面に係合するようにするために種々の力をグロメット器具に及ぼすようアダプタ本体との別の係合部を備えた別のボルト部分が提供される。
【００２４】
図１ないし図８のケーブルアタッチメント１０を設置するため、ケーブルアタッチメントがクロージャの開口部内に既に位置決めされてはいない場合、技術者は、好ましくは、クロージャに接近してクロージャの開口部を占めており又は塞いでいる場合のある構成部品、例えばグロメットを取り外す。技術者は、アダプタ本体（ケーブルアタッチメントの他の部分に取り付けられている場合があり又は取り付けられていない場合がある）をクロージャの外部から軸方向に挿入し、ついには、カラー部分が開口部の近くでクロージャの外壁に係合するようにする。次に、技術者は、保持器具（図示せず）をアダプタ本体の内側部分に螺合させ、ついには、アダプタ本体がクロージャの開口部内に軸方向に固定されるようにする。ケーブルアタッチメントがクロージャ内に収納されたとき、把持器具、グロメット器具及びボルト部分を有している場合、技術者はボルト部分を回転させてこれをアダプタ本体から離してグロメット器具の通路がケーブルを挿通させるのに十分開かれるようにする。プラグ２２がケーブルアタッチメント１０内に設けられている場合、通路がいったん十分に開かれると、プラグをケーブルアタッチメントから取り外すのが良く、そしてプラグを破棄しても良く又は次の使用のために取っておいても良い。次に、技術者は、ケーブル２４を例えば図３及び図４に示すようにケーブル組立体１０中に送り込み、ついには、ケーブルが所望の軸方向位置を定めるようにし、例えば、クロージャ内に送り込まれたケーブルの量が、技術者が必要な光ファイバ接合作業、例えばスプライス接続及び（又は）コネクタ接続を実施することができるのに十分な量であるようにする。変形例として、アダプタ本体のみをクロージャ内に収納した場合、技術者は、ケーブルをボルト部分、ワッシャ１８（所望ならば）、グロメット器具１６、把持器具１４中に軸方向に送り込み、次に、アダプタ本体中に送り込み、次に把持器具、グロメット器具、ワッシャ及びボルト部分をアダプタ本体の開口部内に挿入し、次にボルト部分をアダプタ本体内に挿入すると、組み立て状態のケーブルアタッチメントが構成される。本発明の別の実施形態は、ケーブルアタッチメントをクロージャ内に収納すると共に（或いは）ケーブルをケーブルアタッチメント中に挿通させる別の且つ（或いは）追加の手順を含む。
【００２５】
上述したように、ケーブルアタッチメント１０をケーブル２４に用いることができ、このケーブル２４は、１本又は２本以上のバッファチューブ２８周りにジャケット２６（及び他の構成部品、例えば一例を挙げると抗張力部材）を有し、したがって、ジャケットを例えば図３に示すように所望の軸方向位置のところでバッファチューブから選択的に剥ぎ取ることができるようになっている。本発明の別の実施形態は、非被覆除去状態のケーブルに使用可能なケーブルアタッチメントを含む。しかしながら、図１ないし図８に示す実施形態のケーブルアタッチメント１０は、被覆除去状態のケーブル２４を受け入れるよう構成されている。というのは、アダプタ本体１２の第１の軸方向端部３０の開口部が、ケーブルのバッファチューブ２８のみを挿通させることができるように寸法決めされているからである。技術者は、剥ぎ取り状態のケーブル２４を挿入している途中なので、技術者は、把持器具１４がケーブルのジャケット２６の外面の少なくとも一部分を把持しているようにすべきである。というのは、バッファチューブ２８は、直径が非常に小さいので把持器具の端片５０によっては把持できないからである。技術者がケーブル２４を十分な距離にわたりケーブルアタッチメント１０内に軸方向に挿入されたことを目で見て確認することができるようにするために、１つ又は２つ以上の窓６０が第１の軸方向端部３０内に設けられ、アダプタ本体の少なくとも１つの開口部の一部分がアダプタ本体の少なくとも１つの開口部の軸線に対して全体として半径方向から視認できるようになっている。具体的に説明すると、窓６０は、アダプタ本体１２の第１の軸方向端部３０の開口部と完全に挿入された状態の把持器具１４との間に設けられ、したがって、技術者は、ケーブル２４のジャケットが把持器具を挿通してケーブルがケーブルアタッチメントによって正しく保持されると共に（或いは）歪取りされるようになっていることを確認することができるようになる。図５は、窓６０を介してバッファチューブ２８のみを視認でき、かくして、把持器具１４がケーブルの外面に係合していないのでケーブル２４をケーブルアタッチメント中に軸方向に更に挿入すべきであることが分かるようになった布設状態のケーブルを示している。図６は、正しく布設されたケーブル２４を示しており、この場合、技術者は、ジャケット２６が所望の保持及び（又は）歪取りを可能にするのに十分な軸方向距離にわたり把持器具１４を挿通したことを確認することができる。本発明の別の実施形態では、技術者がケーブルをケーブルアタッチメント内に正しく収納したことを確かめることができるようにする別の器具及び（又は）特徴部が提供される。
【００２６】
次に図７及び図８のアダプタ本体１２を参照すると、このアダプタ本体１２は、アダプタ本体の外面に設けられたタブ部分６２を有し、このタブ部分がアダプタ本体をクロージャに対して回転的に固定するようになっており、このことは、技術者が保持器具（図示せず）をねじ回して図９ａ及び図９ｂに示すようにアダプタ本体をクロージャに軸方向に固定する場合及び技術者がボルト部分２０をアダプタ本体に対して回転させて力をグロメット器具１６に選択的に加えたりかかる力を除去したりする場合に特に有用である。図示の実施形態のタブ部分６２は、クロージャに設けられた突起がクロージャに対するアダプタ本体の回転を阻止するよう嵌まり込むスロットを有している。本発明の別の実施形態は、アダプタ本体をクロージャに対して回転的に固定するよう構成された別のタブ部分を有する。
【００２７】
互いに設計が僅かに異なる２つのクロージャ６４が、図９ａ及び図９ｂに示されており、この場合、各クロージャは、８つの開口部を有し、これら開口部に隣接して又はより具体的には、これら開口部内にケーブルアタッチメント１０が配置されている。ケーブルアタッチメント１０は、ケーブル２４又はプラグ２２がこれらに挿入されていない状態で示されている。図９ａ及び図９ｂのケーブルアタッチメントは、完全に設置されていて、各アダプタ本体１２のタブ部分６２がクロージャ６４の突起６６に係合し、その結果各アダプタ本体がクロージャに対して回転的に固定されている。本発明の別の実施形態は、少なくとも１つの開口部を有すると共に（或いは）開口部に近接して設けられたアダプタ本体を回転的に固定するよう構成された別の突起を備えたクロージャを有する。
【００２８】
次に図１０ａないし図１３を参照すると、把持器具１４は、把持器具の端片５０により行われる把持具合を説明するために多くの有利な観点から図示されている。ケーブル２４のジャケット２６が楕円形の断面を有するので、把持器具１４の８つの端片５０のうちの４つだけがケーブルの外面を把持するが、図１ないし図１３に示す実施形態に関して所望の保持及び（又は）歪取りを可能にするのに十分な把持具合が、把持器具の４つの端片によって提供されている。本発明の別の実施形態は、特定のケーブル断面に適合した別の把持器具及び（又は）ケーブルを把持する別の設計例を有している。
【００２９】
本発明の追加の実施形態が、図１４ａないし図１８ｄに提供されており、別のケーブルアタッチメント１１０ないし５１０が図示されている。図１４ａないし図１４ｄのケーブルアタッチメント１１０は、ジャケット穿通把持器具１１４を有し、この把持器具は、圧接接続（ＩＤＣ）手段と呼ばれる場合がある。ケーブルの外面に密着することができる又はこれに密着しない場合のあるグロメット器具１１６が、ケーブル１２４に沿って軸方向に位置決めされている。図１４ａないし図１４ｄの実施形態のグロメット器具１１６は、リテーナインサートであり、ケーブル１２４の外面に密着することはないが、以下に説明するように熱収縮部分を備えたケーブルアタッチメント１１０によりシールが提供されている。１つ又は２つ以上のジャケット穿通把持器具１１４を１つ又は２つ以上の全体として半径方向に差し向けられたスロット内に挿入し、ついには、把持器具がケーブル１２４のジャケットを穿通し、好ましくはケーブルの抗張力部材に係合してケーブルアタッチメント１１０の保持具合及び（又は）歪取り具合を向上させるようにする。技術者は、ケーブルを把持するために把持器具１１４をケーブル１２４に十分に係合させるためにプライヤ又は他の器械を用いることが必要な場合がある。次に、図１４ａないし図１４ｄの実施形態ではリテーナ本体を有するボルト部分１２０を軸方向に前進させてグロメット器具１１６の全体を包囲する。図１４ａないし図１４ｄのボルト部分１２０は、好ましくは、ボルト部分がケーブルアタッチメント１１０のためのシールを提供する定位置にいったん位置すると、収縮させることができる熱収縮部分を有する。次に、図１４ｃのケーブルアタッチメント１１０を、好ましくはクロージャの開口部に隣接して位置決めされたアダプタ本体１１２内に挿入するのが良い。ボルト部分１２０は、アダプタ本体に係合するねじ山付き部分又はアダプタ本体に選択的に係合する特徴部を有するのが良い。ボルト部分とアダプタ本体の選択的な係合を可能にする特徴部の非限定的な一例としては、ノースカロライナ州ヒッコリー所在のコーニング・ケーブル・システムズ・エルエルシー（Corning Cable Systems LLC）から入手できるOPTITAP（登録商標）コネクタのコピーとして構成されたボルト部分及びアダプタ本体が挙げられる。
【００３０】
次に図１５ａないし図１５ｄのケーブルアタッチメント２１０を参照すると、このケーブルアタッチメント２１０は、図１４ａないし図１４ｄのケーブルアタッチメント１１０とほぼ同じであるが、余分の１組のジャケット穿通把持器具２１４を追加的に備えている。同様に、図１６ａないし図１６ｄのケーブルアタッチメント３１０は、図１４ａないし図１４ｄのケーブルアタッチメント１１０とほぼ同じであるが、ケーブルアタッチメント３１０は、Ｕ字形設計例を構成するジャケット穿通把持器具３１４を有し、単一の把持器具３１４は、少なくとも２つの場所でケーブルの外面を把持できるようになっている。図１７ａないし図１７ｄのケーブルアタッチメント４１０も又、図１４ａないし図１４ｄのケーブルアタッチメント１１０とほぼ同じであるが、把持器具４１４は、ケーブル４２４の外面を把持するようグロメット器具４１６内にねじ込まれる単一の止めねじを有している。同様に、図１８ａないし図８ｄのケーブルアタッチメント５１０は、ケーブル５２４の外面を把持する２本の止めねじを備えた把持器具５１４を有している。本発明の更に別の実施形態は、別の把持器具並びにケーブルアタッチメント及びクロージャの他の構成部品を有している。
【００３１】
上述の説明及び関連の図面に提供された教示の恩恵を受ける当業者であれば、本明細書に記載した本発明に関する多くの改造例及び実施形態を想到できよう。したがって、本発明は開示した特定の実施形態には限定されず、改造例及び他の実施形態は、特許請求の範囲に記載された本発明の範囲に含まれるものであることは理解されるべきである。本発明の改造例及び変形例が特許請求の範囲に記載された本発明の範囲及びその均等範囲に属する限り、本発明は、かかる改造例及び変形例を含むものである。特定の用語を本明細書において用いたが、かかる用語は、一般的且つ説明のために用いられているに過ぎず、本発明を限定する目的で用いられているわけではない。
【図面の簡単な説明】
【００３２】
【図１】本発明の第１の実施形態によるケーブルアタッチメントの分解組立て斜視図であり、ケーブルアタッチメント内に選択的に挿入できるオプションとしてのプラグを示す図である。
【図２】図１のケーブルアタッチメントの断面図であり、ケーブルアタッチメントが組み立てられてオプションとしてのプラグを保持している状態を示す図である。
【図３】図１のケーブルアタッチメントの分解組立て斜視図であり、ケーブルがボルト部分、平らなワッシャ、グロメット器具、把持器具及びアダプタ本体を挿通している状態を示す図である。
【図４】図１のケーブルアタッチメントの断面図であり、ケーブルアタッチメントが組み立てられてジャケットが剥ぎ取られたケーブルを保持している状態を示す図である。
【図５】図１のケーブルアタッチメントの側面図であり、完全には挿入されていない剥ぎ取られたジャケットを見えるようにする視認窓を示す図である。
【図６】図１のケーブルアタッチメントの側面図であり、完全に挿入された剥ぎ取られたジャケットを見えるようにする視認窓を示す図である。
【図７】図１のケーブルアタッチメントの斜視図であり、ケーブルアタッチメントのアダプタ本体を示す図である。
【図８】図１のケーブルアタッチメントの斜視図であり、ケーブルアタッチメントのアダプタ本体を更に示す図である。
【図９ａ】クロージャに取り付けられた本発明の第２の実施形態によるケーブルアタッチメントの部分斜視図であり、アダプタ本体のタブ部分が、クロージャの突起によって回転的にロックされている状態を示す図である。
【図９ｂ】別のクロージャに取り付けられた本発明の第２の実施形態によるケーブルアタッチメントの部分斜視図であり、アダプタ本体のタブ部分が、クロージャの突起によって回転的にロックされている状態を示す図である。
【図１０ａ】本発明の第３の実施形態としての把持器具の平面図であり、把持器具が、把持ワッシャから成る状態を示す図である。
【図１０ｂ】本発明の第３の実施形態としての把持器具の底面図であり、把持器具が、把持ワッシャから成る状態を示す図である。
【図１１】ケーブルに取り付けられた図１０ａ及び図１０ｂの把持器具の側面図であり、把持器具がケーブルを把持している状態を示す図である。
【図１２】楕円形ジャケット付きケーブルに取り付けられた図１０ａ及び図１０ｂの把持器具の斜視図であり、把持器具が楕円形ジャケット付きケーブルの半径方向伸長部分を把持している状態を示す図である。
【図１３】楕円形ジャケット付きケーブルに取り付けられた図１０ａ及び図１０ｂの把持器具の斜視図であり、把持器具が楕円形ジャケット付きケーブルの半径方向内方部分を把持してはいない状態を示す図である。
【図１４ａ】本発明の第４の実施形態によるケーブルアタッチメントの斜視図であり、把持器具が単一のフラットジャケット穿通把持器具から成っていることを示す図である。
【図１４ｂ】本発明の第４の実施形態によるケーブルアタッチメントの斜視図であり、把持器具が単一のフラットジャケット穿通把持器具から成っていることを示す図である。
【図１４ｃ】本発明の第４の実施形態によるケーブルアタッチメントの斜視図であり、把持器具が単一のフラットジャケット穿通把持器具から成っていることを示す図である。
【図１４ｄ】本発明の第４の実施形態によるケーブルアタッチメントの斜視図であり、把持器具が単一のフラットジャケット穿通把持器具から成っていることを示す図である。
【図１５ａ】本発明の第５の実施形態によるケーブルアタッチメントの斜視図であり、把持器具が二重フラットジャケット穿通把持器具から成っていることを示す図である。
【図１５ｂ】本発明の第５の実施形態によるケーブルアタッチメントの斜視図であり、把持器具が二重フラットジャケット穿通把持器具から成っていることを示す図である。
【図１５ｃ】本発明の第５の実施形態によるケーブルアタッチメントの斜視図であり、把持器具が二重フラットジャケット穿通把持器具から成っていることを示す図である。
【図１５ｄ】本発明の第５の実施形態によるケーブルアタッチメントの斜視図であり、把持器具が二重フラットジャケット穿通把持器具から成っていることを示す図である。
【図１６ａ】本発明の第６の実施形態によるケーブルアタッチメントの斜視図であり、把持器具がＵ字形ジャケット穿通把持器具から成っていることを示す図である。
【図１６ｂ】本発明の第６の実施形態によるケーブルアタッチメントの斜視図であり、把持器具がＵ字形ジャケット穿通把持器具から成っていることを示す図である。
【図１６ｃ】本発明の第６の実施形態によるケーブルアタッチメントの斜視図であり、把持器具がＵ字形ジャケット穿通把持器具から成っていることを示す図である。
【図１６ｄ】本発明の第６の実施形態によるケーブルアタッチメントの斜視図であり、把持器具がＵ字形ジャケット穿通把持器具から成っていることを示す図である。
【図１７ａ】本発明の第７の実施形態によるケーブルアタッチメントの斜視図であり、把持器具が単一の止めねじから成っていることを示す図である。
【図１７ｂ】本発明の第７の実施形態によるケーブルアタッチメントの斜視図であり、把持器具が単一の止めねじから成っていることを示す図である。
【図１７ｃ】本発明の第７の実施形態によるケーブルアタッチメントの斜視図であり、把持器具が単一の止めねじから成っていることを示す図である。
【図１７ｄ】本発明の第７の実施形態によるケーブルアタッチメントの斜視図であり、把持器具が単一の止めねじから成っていることを示す図である。
【図１８ａ】本発明の第８の実施形態によるケーブルアタッチメントの斜視図であり、把持器具が二重止めねじから成っていることを示す図である。
【図１８ｂ】本発明の第８の実施形態によるケーブルアタッチメントの斜視図であり、把持器具が二重止めねじから成っていることを示す図である。
【図１８ｃ】本発明の第８の実施形態によるケーブルアタッチメントの斜視図であり、把持器具が二重止めねじから成っていることを示す図である。
【図１８ｄ】本発明の第８の実施形態によるケーブルアタッチメントの斜視図であり、把持器具が二重止めねじから成っていることを示す図である。
【図１】
2009504122.tif 000003
【図２】
2009504122.tif 000004
【図３】
2009504122.tif 000005
【図４】
2009504122.tif 000006
【図５】
2009504122.tif 000007
【図６】
2009504122.tif 000008
【図７】
2009504122.tif 000009
【図８】
2009504122.tif 000010
【図９ａ】
2009504122.tif 000011
【図９ｂ】
2009504122.tif 000012
【図１０ａ】
2009504122.tif 000013
【図１０ｂ】
2009504122.tif 000014
【図１１】
2009504122.tif 000015
【図１２】
2009504122.tif 000016
【図１３】
2009504122.tif 000017
【図１４ａ】
2009504122.tif 000018
【図１４ｂ】
2009504122.tif 000019
【図１４ｃ】
2009504122.tif 000020
【図１４ｄ】
2009504122.tif 000021
【図１５ａ】
2009504122.tif 000022
【図１５ｂ】
2009504122.tif 000023
【図１５ｃ】
2009504122.tif 000024
【図１５ｄ】
2009504122.tif 000025
【図１６ａ】
2009504122.tif 000026
【図１６ｂ】
2009504122.tif 000027
【図１６ｃ】
2009504122.tif 000028
【図１６ｄ】
2009504122.tif 000029
【図１７ａ】
2009504122.tif 000030
【図１７ｂ】
2009504122.tif 000031
【図１７ｃ】
2009504122.tif 000032
【図１７ｄ】
2009504122.tif 000033
【図１８ａ】
2009504122.tif 000034
【図１８ｂ】
2009504122.tif 000035
【図１８ｃ】
2009504122.tif 000036
【図１８ｄ】
2009504122.tif 000037
【国際調査報告】
2009504122.tif 000038
2009504122.tif 000039
2009504122.tif 000040